(57)【要約】【課題】光源として発光ダイオードを用い、かつその発光ダイオードを適切に効率よく冷却してその長寿命化を図ることができるエレベータの照明装置を提供する。【解決手段】エレベータのかご１内を照明するための複数の発光ダイオード１２を備える光源ユニット１０と、各光源ユニット１０の周辺温度を検出する温度センサ２０と、光源ユニット１０に対して空気を送風して発光ダイオード１２を冷却することが可能な小型のモータファン２１とを有し、温度センサ２０が検出する温度が基準値を超えるときにモータファン２１が動作するように制御して発光ダイオード１２を冷却する。【選択図】    図２
2011126622.tif 000002
【特許請求の範囲】
【請求項１】
エレベータのかご内を照明するための複数の発光ダイオードを備える光源ユニットと、
前記光源ユニットの周辺温度を検出する温度検出手段と、
前記光源ユニットに対して空気を送風して前記発光ダイオードを冷却することが可能な送風手段と、
前記温度検出手段が検出する温度が基準値を超えるときに前記送風手段を動作させる制御を行なう制御手段と、
を具備することを特徴とするエレベータの照明装置。
【請求項２】
前記光源ユニットは、前記かごの天井部に複数設けられ、その各光源ユニットに対して個々に前記温度検出手段及び送風手段が設けられていることを特徴とする請求項１に記載のエレベータの照明装置。
【請求項３】
前記温度検出手段は温度センサであり、前記送風手段は小型のモータファンであることを特徴とする請求項１又は２に記載のエレベータの照明装置。
【発明の詳細な説明】
【技術分野】
【０００１】
この発明は、エレベータのかご内を照明する照明装置に関する。
【背景技術】
【０００２】
エレベータのかごの天井部には、照明箱が取り付けられている。照明箱は下面に大きな開口部を有し、この開口部に光透過性を有する合成樹脂で形成された照明板が設けられている。天井部の下面には、照明板を照光する光源が配設されている。この光源は前記照明箱で囲まれ、この光源の点灯により照明板が照光され、その光がかご内に拡散してかご内が照明される。
【０００３】
光源としては、従来一般には蛍光ランプが多く用いられているが、近年では例えば特表２００７−５０５０２１公報(特許文献１)に記載されているように、発光ダイオードを用いることが提案されている。
【先行技術文献】
【特許文献】
【０００４】
【特許文献１】特表２００７−５０５０２１号公報
【発明の概要】
【発明が解決しようとする課題】
【０００５】
光源としての発光ダイオードは、点灯に応じて比較的高温度にまで発熱し、その熱で徐々に劣化して寿命が短くなる。
【０００６】
ところが、特表２００７−５０５０２１公報においては、かごの天井部に発光ダイオードを配設して照明することが記載されているだけで、その発光ダイオードの発熱に関する方策については言及されておらず、したがって発光ダイオードの寿命が短くなる。
【０００７】
そこで、この発明では、光源として発光ダイオードを用い、かつその発光ダイオードを適切に効率よく冷却してその長寿命化を図ることができるエレベータの照明装置を提供することを目的としている。
【課題を解決するための手段】
【０００８】
このような目的を達成するために、請求項１の発明は、エレベータのかご内を照明するための複数の発光ダイオードを備える光源ユニットと、前記光源ユニットの周辺温度を検出する温度検出手段と、前記光源ユニットに対して空気を送風して前記発光ダイオードを冷却することが可能な送風手段と、前記温度検出手段が検出する温度が基準値を超えるときに前記送風手段を動作させる制御を行なう制御手段とを具備することを特徴としている。
【０００９】
請求項２の発明は、前記光源ユニットが、前記かごの天井部に複数設けられ、その各光源ユニットに対して個々に前記温度検出手段及び送風手段が設けられていることを特徴としている。
【００１０】
請求項３の発明は、前記温度検出手段が温度センサであり、前記送風手段が小型のモータファンであることを特徴ととしている。
【発明の効果】
【００１１】
この発明によれば、光源としての発光ダイオードを適切に効率よく冷却してその長寿命化を図ることができる。
【図面の簡単な説明】
【００１２】
【図１】この発明の一実施形態に係る照明装置を備えるかごの構成図。
【図２】そのかごの天井部を下から見た平面図。
【図３】そのかごの天井部に設けられた光源ユニットを拡大して示す平面図。
【図４】そのかごの天井部に設けられた光源ユニットを拡大して示す側面図。
【図５】その光源ユニットを制御する制御回路の構成を示すブロック図。
【図６】その光源ユニットの周辺温度と冷却用のモータファンの動作との関係を示す図。
【図７】モータファンの動作を切り換える場合の例を示す図。
【図８】１つの光源ユニットに２つのモータファンを設ける場合の例を示す平面図。
【発明を実施するための形態】
【００１３】
以下、この発明の実施の形態について図面を参照して説明する。
【００１４】
図１にはエレベータのかご１内の構成を示してある。かご１は、床部２と、この床部２の上の四方を囲む側板部３と、この側板部３の上端部に設置された天井部４とを備えている。
【００１５】
天井部４の下面には照明箱５が取り付けられ、この照明箱５は下面に大きな開口部６を有し、この開口部６に光透過性を有する合成樹脂で形成された照明板７が設けられている。さらに、天井部４の下面には、複数の光源ユニット１０が縦横に並んで均等的に取り付けられ、これら光源ユニット１０が照明箱５で囲まれている。
【００１６】
かご１の正面には出入口１５が形成され、この出入口１５にその開閉用のドア１６ａ，１６ｂが設けられている。また、１７は出入口１５の上部側に設けられた幕板で、１８は側板部３の下部に設けられた巾木である。
【００１７】
天井部４に設けられた各光源ユニット１０は、図３及び図４に拡大して示すように、例えば短冊状の回路基板１１の表面に複数の発光ダイオード（以下、ＬＥＤという。）１２を取り付けてなる。各ＬＥＤ１２は回路基板１１の長手方向に沿って一列に並んで取り付けられている。各ＬＥＤ１２は電源回路に接続されている。そして各光源ユニット１０の各ＬＥＤ１２が点灯することで、照明板７が照光され、その光がかご１内に拡散してかご１内が照明される。
【００１８】
各光源ユニット１０に対しては、各ＬＥＤ１２の発熱に基づく温度を検出する温度検出手段としての温度センサ２０と、その各ＬＥＤ１２を冷却する冷却手段としての小型のモータファン２１が設けられている。
【００１９】
温度センサ２０は、各光源ユニット１０に対して２つずつ設けられ、その１つは回路基板１１に取り付けられ、他の１つは回路基板１１の近傍に位置して天井部４に取り付けられている。モータファン２１は、回路基板１１の端部と隣接して天井部４に取り付けられている。
【００２０】
図５には電気回路の構成を示してある。各温度センサ２０はマイクロコンピュータを備えうる制御手段としての制御部２４に個々に接続され、各温度センサ２０が検出する温度のデータが制御部２４に個々に送られる。また、各モータファン２１は、それぞれ駆動回路２５を介して制御部２４に個々に接続されている。制御部２４は、例えばエレベータの運行を制御する制御盤に組み込まれている。
【００２１】
次に作用について説明する。
【００２２】
エレベータの運転時には、各光源ユニット１０のＬＥＤ１２が点灯し、かご１内が照明される。各ＬＥＤ１２は点灯に応じて発熱し、各光源ユニット１０の周辺温度が上昇する。各光源ユニット１０の周辺温度はその光源ユニット１０に対応して設けられた温度センサ２０により逐次検出され、その信号が制御部２４に送られる。
いま、ＬＥＤ１２の発熱によりそのＬＥＤ１２を備える光源ユニット１０の周辺温度が、ＬＥＤ１２を冷却すべき予め設定された基準値を超える温度、つまりファン起動温度にまで上昇すると、それがその光源ユニット１０の温度センサ２０により検出され、その信号が制御部２４に送られる。信号が送られると、その信号に基づいて制御部２４による制御で駆動回路２５を介してその光源ユニット１０におけるモータファン２１が駆動され、回転する。モータファン２１の回転で光源ユニット１０に向けて空気が送風され、その光源ユニット１０の各ＬＥＤ１２が冷却され、光源ユニット１０の周辺温度が低下する。
【００２３】
図６には光源ユニット１０の周辺温度の変化とモータファン２１の動作との関係を示してある。光源ユニット１０の周辺温度が上昇して基準値（ファン起動温度）を超えると、温度センサ２０による検出に基づいてモータファン２１が起動し、各ＬＥＤ１２が冷却される。各ＬＥＤ１２の冷却で光源ユニット１０の周辺温度が低下して基準値にまで下がると、それが温度センサ２０により検出され、その信号に基づいて制御部２４による制御でモータファン２１の回転が停止する。
【００２４】
そして再び光源ユニット１０の周辺温度が上昇して基準値を超えるとモータファン２１が起動し、モータファン２１の起動で光源ユニット１０の周辺温度が基準値にまで低下するとモータファン２１が停止し、このような動作が繰り返される。なお、この動作は各光源ユニット１０ごとにおいて行なわれる。
【００２５】
このように、ＬＥＤ１２が発熱して光源ユニット１０の周辺温度が基準値を超えると、モータファン２１が起動してＬＥＤ１２が冷却され、したがってＬＥＤ１２の温度を低く抑えることができ、これによりＬＥＤ１２の寿命の低下を防止し、長期間に渡って所定の輝度で発光させることができる。
【００２６】
そしてモータファン２１は、光源ユニット１０の周辺温度が基準値を超えときに起動し、基準値にまで低下したときに停止するから、無駄に回転することがなく、消費電力を抑えて効率よくかつ適切にＬＥＤ１２を冷却することができる。
【００２７】
なお、温度センサ２０が検出する光源ユニット１０の周辺温度の違いに応じてモータファン２１の回転数を変えるように制御することも可能である。すなわち、図７に示すように、光源ユニット１０の周辺温度が基準値を超えたときにおいて、温度センサ２０が第１の温度（Δ１）を検出したときには、モータファン２１の回転数を小とし、温度センサ２０が第１の温度（Δ１）よりも高い第２の温度（Δ２）を検出したときには、モータファン２１の回転数を大として効率よくＬＥＤ１２を冷却するように制御する。
【００２８】
また、各光源ユニット１０に対して図８に示すように、複数、例えば２つのモータファン２１を設け、温度センサ２０の検出温度に応じてその２つのモータファン２１のうちの一方を起動させたり、両方を起動させたりすることで、ＬＥＤ１２を効率よく冷却する構成とすることも可能である。
【００２９】
さらに、温度センサ２０が検出する温度情報を遠隔にあるエレベータの管理センターに送り、光源ユニット１０に関する管理をその管理センターにおいて行なうように構成することも可能である。
【００３０】
また、温度センサ２０はエレベータの運転時にのみ動作させる場合であっても、エレベータの運転に関係なく常時動作させる場合であってもよい。
【符号の説明】
【００３１】
１…かご
２…床部
３…側板部
４…天井部
５…照明箱
６…開口部
７…照明板
１０…光源ユニット
１１…回路基板
１２…発光ダイオード（ＬＥＤ）
１５…出入口
１６ａ．１６ｂ…ドア
２０…温度センサ（温度検出手段）
２１…モータファン（送風手段）
２４…制御部
２５…駆動回路
【図１】
2011126622.tif 000003
【図２】
2011126622.tif 000004
【図３】
2011126622.tif 000005
【図４】
2011126622.tif 000006
【図５】
2011126622.tif 000007
【図６】
2011126622.tif 000008
【図７】
2011126622.tif 000009
【図８】
2011126622.tif 000010